(57)【要約】    【課題】      トラヒック変動に対しては柔軟に対応することができ、かつ、ＡＣＫ／ＮＡＣＫ情報の送受信のための消費電力の低減、ハード規模の低減を図ること。    【解決手段】  制御部１５５は、基地局装置２００が割り当てたＡＣＫ／ＮＡＣＫ情報の拡散コード及びプロセスを示す信号に基づいて逆拡散処理に用いる拡散コード及び逆拡散処理のタイミングを設定する。逆拡散部１５６は、制御部１５５が設定したタイミングで制御部１５５が設定した拡散コードを用いてＡＣＫ情報あるいはＮＡＣＫ情報の受信信号を逆拡散処理する。復調部１５７は、逆拡散部１５６の出力信号を復調する。ＡＣＫ／ＮＡＣＫ判定部１５８は、復調部１５７の出力信号がＡＣＫ情報であるかＮＡＣＫ情報であるかを判定する。  【選択図】      図１
2006319715.tif 000002
【特許請求の範囲】
【請求項１】
通信相手の基地局装置が割り当てたＡＣＫ／ＮＡＣＫ情報の拡散コード及びプロセスを示す信号に基づいて逆拡散処理に用いる拡散コード及び逆拡散処理のタイミングを設定する制御手段と、
前記制御手段が設定したタイミングで前記制御手段が設定した拡散コードを用いてＡＣＫ情報あるいはＮＡＣＫ情報の受信信号を逆拡散処理する逆拡散手段と、
前記逆拡散手段の出力信号を復調する復調手段と、
前記復調手段の出力信号がＡＣＫ情報であるかＮＡＣＫ情報であるかを判定するＡＣＫ／ＮＡＣＫ判定手段と、
を具備する通信端末装置。
【請求項２】
ＡＣＫ／ＮＡＣＫ情報の拡散コード及びプロセスを割り当てる制御手段と、
通信相手の通信端末装置から送信されたデータに誤りが存在するか否かを検出する誤り検出手段と、
前記誤り検出手段の検出結果に基づくＡＣＫ情報あるいはＮＡＣＫ情報を変調する変調手段と、
前記制御手段が設定したタイミングで前記制御手段が設定した拡散コードを用いて前記変調手段の出力信号を拡散処理する拡散手段と、
前記制御手段の割り当て結果を示す情報及び前記拡散手段の出力信号を前記通信端末装置に送信する送信手段と、
を具備する基地局装置。
【請求項３】
ＡＣＫ／ＮＡＣＫ情報の拡散コード及びプロセスを割り当てる工程と、
前記割り当て結果を示す情報を通信相手の通信端末装置に送信する工程と、
前記通信端末装置から送信されたデータに誤りが存在するか否かを検出する工程と、
前記誤り検出結果に基づくＡＣＫ情報あるいはＮＡＣＫ情報を変調する工程と、
前記設定したタイミングで前記設定した拡散コードを用いて前記変調されたＡＣＫ情報あるいはＮＡＣＫ情報を拡散処理する工程と、
前記拡散されたＡＣＫ情報あるいはＮＡＣＫ情報を前記通信端末装置に送信する工程と、
を具備するＡＣＫ／ＮＡＣＫ情報送信方法。
【発明の詳細な説明】
【技術分野】
【０００１】
本発明は、ＨＳＵＰＡ（High Speed Uplink Packet Access）方式でＨ−ＡＲＱ（Hybrid-Automatic ReQuest）を適用する無線通信を行う通信端末装置、基地局装置、及び、その際のＡＣＫ／ＮＡＣＫ情報送信方法に関する。
【背景技術】
【０００２】
ＨＳＵＰＡにおけるＨ-ＡＲＱでは、通信端末装置が送信したデータに対して、基地局装置が、正常に受信できた場合にはＡＣＫ（Acknowledge）情報を、正常に受信できなかった場合にはＮＡＣＫ（Non-Acknowledge）情報を、当該通信端末装置に送信する。なお、Ｈ-ＡＲＱでは、ＡＣＫ情報あるいはＮＡＣＫ情報のどちらか一方を送信しないとする方法もある。
【０００３】
ここで、基地局装置は、ＡＣＫ情報あるいはＮＡＣＫ情報に所定の拡散コードを乗算して通信端末装置に送信する。この下りのＡＣＫ／ＮＡＣＫ送信の拡散コード割り当て方法については、ＨＳＵＰＡの上り送信のスケジューリング方法と関係し、以下のような方法が検討されている。
（１）１つのコードに対して１つの通信端末装置又は複数の通信端末装置からなる１つの通信端末装置グループを割り当てる。
（２）複数のコード（コード数ｍ）からなるコードグループに対して通信端末装置グループを割り当てる。
【０００４】
この中で、（１）の方法は、あるコードに対して１つの通信端末装置が固定的に割り当てられるため、通信端末装置間のトラヒックの変動などに柔軟に対応することが難しいという問題がある。すなわち、あるコードを用いる通信端末装置のみのトラヒックが高く、他のコードを用いる通信端末装置のトラヒックが低い場合、他のコードは空いているにもかかわらず高トラヒックの通信端末装置にそのコードを割り当てることができない。これに対し、（２）の方法は、トラヒック変動に対しては柔軟に対応することができる。
【特許文献１】TSG RAN WG1 #37 Tdoc# R1-040455
【発明の開示】
【発明が解決しようとする課題】
【０００５】
しかしながら、従来の（２）の方法では、単にコードグループを通信端末装置グループに割り当てるものであるため、各通信端末装置では、自局宛のＡＣＫ／ＮＡＣＫ情報が該当コードグループのうちどのコードで送信されるのかがわからず、常に該当コードグループのすべてのコード（コード数ｍ）を逆拡散することが必要となり、消費電流が増加し、ハード規模が増加するという問題がある。
【０００６】
本発明はかかる点に鑑みてなされたもので、ＨＳＵＰＡ方式でＨ−ＡＲＱを適用する無線通信を行う際に、トラヒック変動に対しては柔軟に対応することができ、かつ、ＡＣＫ／ＮＡＣＫ情報の受信のための消費電力の低減、ハード規模の低減を図ることができる通信端末装置、基地局装置及びＡＣＫ／ＮＡＣＫ情報送信方法を提供することを目的とする。
【課題を解決するための手段】
【０００７】
上記目的を達成するために、本発明の通信端末装置は、通信相手の基地局装置が割り当てたＡＣＫ／ＮＡＣＫ情報の拡散コード及びプロセスを示す信号に基づいて逆拡散処理に用いる拡散コード及び逆拡散処理のタイミングを設定する制御手段と、前記制御手段が設定したタイミングで前記制御手段が設定した拡散コードを用いてＡＣＫ情報あるいはＮＡＣＫ情報の受信信号を逆拡散処理する逆拡散手段と、前記逆拡散手段の出力信号を復調する復調手段と、前記復調手段の出力信号がＡＣＫ情報であるかＮＡＣＫ情報であるかを判定するＡＣＫ／ＮＡＣＫ判定手段と、を具備する構成を採る。
【０００８】
本発明の基地局装置は、ＡＣＫ／ＮＡＣＫ情報の拡散コード及びプロセスを割り当てる制御手段と、通信相手の通信端末装置から送信されたデータに誤りが存在するか否かを検出する誤り検出手段と、前記誤り検出手段の検出結果に基づくＡＣＫ情報あるいはＮＡＣＫ情報を変調する変調手段と、前記制御手段が設定したタイミングで前記制御手段が設定した拡散コードを用いて前記変調手段の出力信号を拡散処理する拡散手段と、前記制御手段の割り当て結果を示す情報及び前記拡散手段の出力信号を前記通信端末装置に送信する送信手段と、を具備する構成を採る。
【０００９】
本発明のＡＣＫ／ＮＡＣＫ情報送信方法は、ＡＣＫ／ＮＡＣＫ情報の拡散コード及びプロセスを割り当てる工程と、前記割り当て結果を示す情報を通信相手の通信端末装置に送信する工程と、前記通信端末装置から送信されたデータに誤りが存在するか否かを検出する工程と、前記誤り検出結果に基づくＡＣＫ情報あるいはＮＡＣＫ情報を変調する工程と、前記設定したタイミングで前記設定した拡散コードを用いて前記変調されたＡＣＫ情報あるいはＮＡＣＫ情報を拡散処理する工程と、前記拡散されたＡＣＫ情報あるいはＮＡＣＫ情報を前記通信端末装置に送信する工程と、を具備する方法を採る。
【発明の効果】
【００１０】
本発明によれば、ＨＳＵＰＡ方式でＨ−ＡＲＱを適用する無線通信を行う際に、トラヒック変動に対しては柔軟に対応することができ、かつ、ＡＣＫ／ＮＡＣＫ情報の受信のための消費電力の低減、ハード規模の低減を図ることができる。
【発明を実施するための最良の形態】
【００１１】
（実施の形態１）
図１は、本発明の一実施の形態に係る通信端末装置の構成を示すブロック図である。図１の通信端末装置１００において、変調部１０１は、ＨＳＵＰＡにおけるデータの送信を通信相手の基地局装置に要求する信号である送信要求信号を変調し、拡散部１０２に出力する。拡散部１０２は、変調部１０１の出力信号を拡散し、送信無線部１０６に出力する。
【００１２】
送信データ選択部１０３は、データ送信開始時及びＡＣＫ受信時に新規データを選択し、ＮＡＣＫ受信時に再送用データを選択する。そして、送信データ選択部１０３は、選択したデータを変調部１０４に出力する。変調部１０４は、送信データ選択部１０３から出力されたデータを変調し、拡散部１０５に出力する。拡散部１０５は、変調部１０４の出力信号を拡散し、送信無線部１０６に出力する。送信無線部１０６は、拡散部１０２あるいは拡散部１０５から出力されたベースバンドの信号を無線周波数の信号に変換して共用器１０７に出力する。
【００１３】
共用器１０７は、送信無線部１０６から出力された信号をアンテナ１０８から無線送信する。また、共用器１０７は、アンテナ１０８に受信された信号を受信無線部１５１に出力する。
【００１４】
受信無線部１５１は、共用器１０７から出力された無線周波数の受信信号をベースバンド信号に変換し、逆拡散部１５２あるいは逆拡散部１５６に出力する。逆拡散部１５２は、受信無線部１５１の出力信号を逆拡散し、復調部１５３に出力する。復調部１５３は、逆拡散部１５２の出力信号を復調し、送信許可信号抽出部１５４に出力する。送信許可信号抽出部１５４は、復調部１５３の出力信号から送信許可信号を抽出する。送信許可信号には、ＨＳＵＰＡにおけるデータの送信許可を示す情報と、基地局装置が割り当てたＡＣＫ／ＮＡＣＫの拡散コード及びプロセス番号を示す情報（以下、「割り当て情報」という）とが含まれている。送信許可信号抽出部１５４は、送信許可を示す情報を送信データ選択部１０３に出力し、割り当て情報を制御部１５５に出力する。なお、本明細書において、「プロセス」とは所定時間の通信単位をいい、その最大値はＨ−ＡＲＱプロセスの最大同時起動数に等しい。
【００１５】
制御部１５５は、割り当て情報のＡＣＫ／ＮＡＣＫの拡散コード及びプロセスに基づいて、逆拡散処理に用いる拡散コード及び逆拡散処理のタイミングを設定し、逆拡散部１５６に指示する。逆拡散部１５６は、割り当て情報を基にしたタイミングにおいて、制御部１５５の指示に基づいて、受信無線部１５１の出力信号を逆拡散し、復調部１５７に出力する。復調部１５７は、逆拡散部１５６の出力信号を復調し、ＡＣＫ／ＮＡＣＫ判定部１５８に出力する。ＡＣＫ／ＮＡＣＫ判定部１５８は、復調部１５７の出力信号がＡＣＫ情報であるかＮＡＣＫ情報であるかを判定し、判定結果を送信データ選択部１０３に出力する。
【００１６】
図２は、本実施の形態に係る基地局装置の構成を示すブロック図である。図２の基地局装置２００において、共用器２０２は、アンテナ２０１に受信された信号を受信無線部２０３に出力する。また、共用器２０２は、送信無線部２５６から出力された信号をアンテナ２０１から無線送信する。
【００１７】
受信無線部２０３は、共用器２０２から出力された無線周波数の受信信号をベースバンド信号に変換し、逆拡散部２０４あるいは逆拡散部２０７に出力する。逆拡散部２０４は、データ送信要求時において、受信無線部２０３の出力信号を逆拡散し、復調部２０５に出力する。復調部２０５は、逆拡散部２０４の出力信号を復調し、送信要求信号抽出部２０６に出力する。送信要求信号抽出部２０６は、復調部２０５の出力信号から送信要求信号を抽出し、制御部２５１に出力する。
【００１８】
逆拡散部２０７は、データ受信時において、受信無線部２０３の出力信号を逆拡散し、復調部２０８に出力する。復調部２０８は、逆拡散部２０７の出力信号を復調し、誤り検出部２０９に出力する。誤り検出部２０９は、復調部２０８の出力信号に誤りがあるか否かを検出し、誤りを検出しなかった場合には受信データを図示しない後工程に出力するとともにＡＣＫ情報を変調部２５４に出力し、誤りを検出した場合にはＮＡＣＫ情報を変調部２５４に出力する。
【００１９】
制御部２５１は、通信端末装置からＨＳＵＰＡにおけるデータの送信要求があった場合に送信を許可するか否かを判断し、送信を許可する場合にはＡＣＫ／ＮＡＣＫの拡散コード及びプロセスを割り当てる。そして、制御部２５１は、データの送信許可を示す情報と、ＡＣＫ／ＮＡＣＫの拡散コード及びプロセスを示す割り当て情報とからなる送信許可信号を変調部２５２に出力する。また、制御部２５１は、拡散部２５５に対して、拡散に用いる拡散コード及び拡散処理のタイミングを指示する。変調部２５２は、送信許可信号を変調し、拡散部２５３に出力する。拡散部２５３は、変調部２５２の出力信号を拡散し、送信無線部２５６に出力する。
【００２０】
変調部２５４は、ＡＣＫ情報あるいはＮＡＣＫ情報を変調し、拡散部２５５に出力する。拡散部２５５は、制御部２５１の指示に基づいて、変調部２５４の出力信号を拡散し、送信無線部２５６に出力する。送信無線部２５６は、拡散部２５３あるいは拡散部２５５から出力されたベースバンドの信号を無線周波数の信号に変換して共用器２０２に出力する。
【００２１】
次に、本実施の形態に係る基地局装置及び通信端末装置の動作順序について図３のシーケンス図を用いて説明する。なお、図３では、通信端末装置（ＵＥ）が基地局装置（ＮｏｄｅＢ）に対してＨＳＵＰＡにおけるデータを４つのプロセスを用いて送信する場合を示す。また、図３では、基地局装置は、受信データに誤りが検出された場合にＮＡＣＫを返し、受信データに誤りが検出されなかった場合には何も情報を返さないものとする。
【００２２】
まず、通信端末装置は、基地局装置に対して送信要求を行う（Ｓ３０１）。送信要求を受けた基地局装置は、ＡＣＫ／ＮＡＣＫの拡散コード及びプロセスを割り当て（Ｓ３０２）、通信端末装置に送信許可を行うとともに割り当て情報を送信する（Ｓ３０３）。
【００２３】
送信許可を受けた通信端末装置は、ＨＳＵＰＡにおけるデータを送信する（Ｓ３０４）。図３では、基地局装置において受信データのうちプロセス＃１、＃２、＃４のデータに誤りが検出されたとする。この場合、基地局装置は、割り当てた拡散コードによりＮＡＣＫ情報を拡散し、プロセス＃１、＃２、＃４で拡散後のＮＡＣＫ情報を送信する（Ｓ３０５）。
【００２４】
通信端末装置は、割り当てられた拡散コードを用いて各プロセス＃１、＃２、＃３、＃４で受信される信号を逆拡散し、ＮＡＣＫ情報を抽出する。そして、通信端末装置は、ＮＡＣＫ情報が抽出されたプロセス＃１、＃２、＃４でデータの再送を行う（Ｓ３０６）。
【００２５】
次に、図４の具体例を用いて、本実施の形態に係るＡＣＫ／ＮＡＣＫ情報送信方法について詳細に説明する。
【００２６】
図４では、コード＃１、＃２、＃３の３種類の拡散コードのいずれかでＮＡＣＫ情報を拡散し、プロセス＃１、＃２、＃３、＃４の４つのプロセスのいずれかでＮＡＣＫ情報を送信するものとする。
【００２７】
まず、基地局装置２００の制御部２５１は、図４（ａ）に示すように、各通信端末装置について拡散コード及びプロセスを割り当てる。例えば、ユーザ＃１に着目すると、プロセス＃１ではコード＃２、プロセス＃２ではコード＃３、プロセス＃３ではコード＃３、プロセス＃４ではコード＃１が割り当てられる。そして、基地局装置２００は、割り当て情報を含む送信許可信号を通信端末装置１００に送信する。図４は、ユーザ＃２および＃３に対しても同様に割り当てを行った結果である。割り当てはすべてのユーザについて同時に行う必要は無い。各ユーザから送信要求があった時点で空きプロセスおよびコードに割り当てるようにしてもよい。また、割り当てるプロセスの数は各ユーザからの送信要求の内容によって適宜調節するようにしてもよい。
【００２８】
通信端末装置１００は、送信許可信号を受信すると、データを基地局装置２００に送信する。基地局装置２００は、通信端末装置１００からデータを受信すると誤り検出を行い、基地局装置２００の拡散部２５５は、誤りが検出された受信データのプロセスにおいて、制御部２５１が割り当てた拡散コードでＮＡＣＫ情報を拡散する。例えば、図４（ｂ）において、ユーザ＃１からのプロセス＃１、＃２、＃４のデータに誤りが検出されたとすると、プロセス＃１ではコード＃２、プロセス＃２ではコード＃３、プロセス＃４ではコード＃１により、それぞれＮＡＣＫ情報が拡散される。なお、図４では、基地局装置は、受信データに誤りが検出されなかった場合には何も情報を返さないものとする。
【００２９】
通信端末装置１００の制御部１５５は、割り当て情報により、各プロセスで送信されるＮＡＣＫ情報に乗算された拡散コードを認識することができるため、逆拡散部１５６が、制御部１５５の制御に基づき、各プロセスについて１つの拡散コードを用いて逆拡散処理を行えば、ＮＡＣＫ情報を抽出することができる。
【００３０】
通信端末装置１００は、ＮＡＣＫ情報を受信したプロセスのデータを基地局装置２００に再送信する。基地局装置２００は、通信端末装置１００から再送されたデータを受信すると誤り検出を行い、基地局装置２００の拡散部２５５は、再び誤りが検出された受信データのプロセスにおいて、制御部２５１が割り当てた拡散コードでＮＡＣＫ情報を拡散する。例えば、図４（ｃ）において、ユーザ＃１からのプロセス＃１のデータに再び誤りが検出されたとすると、プロセス＃１では再びコード＃２によりＮＡＣＫ情報が拡散される。
【００３１】
このように、本実施の形態では、ＨＳＵＰＡ方式でＨ−ＡＲＱを適用する無線通信を行う際に、基地局装置が、送信許可時にＡＣＫ／ＮＡＣＫ情報の拡散コード及びプロセスを割り当て、通信端末装置に送信し、常に割り当てた拡散コードでＡＣＫ／ＮＡＣＫ情報を拡散して送信することとした。これにより、通信端末装置では、各プロセスについて１つの拡散コードを用いて逆拡散処理を行えば、ＮＡＣＫ情報を抽出することができるので、トラヒック変動に対しては柔軟に対応することができ、かつ、ＡＣＫ／ＮＡＣＫ情報の受信のための消費電力の低減、ハード規模の低減を図ることができる。
【００３２】
なお、本実施の形態では、通信開始時について説明したが、本発明は、ハンドオーバ時にも応用できる。すなわち、ハンドオーバ時に、新たに通信相手となる基地局装置がＡＣＫ／ＮＡＣＫ情報の拡散コード及びプロセスを割り当て、割り当て情報を通信端末装置に送信することもできる。
【００３３】
（実施の形態２）
実施の形態２では、基地局装置が、ＡＣＫ／ＮＡＣＫの拡散コードを示す情報を通信端末装置に送信せず、送信許可信号およびプロセス番号のみを送信する場合について説明する。
【００３４】
本実施の形態の基地局装置の構成は、実施の形態１で説明した図２と同一であり、制御部２５１が、データの送信許可を示す情報のみからなる送信許可信号を変調部２５２に出力する点が、実施の形態１と異なる。
【００３５】
図５は、本実施の形態に係る通信端末装置の構成を示すブロック図である。なお、図５の通信端末装置５００において、図１に示した通信端末装置１００と共通する構成部分には同一の符号を付して説明を省略する。
【００３６】
図５の通信端末装置５００は、制御部５０１の作用が、図１の通信端末装置１００の制御部１５５と異なる。また、通信端末装置５００は、逆拡散部１５６及び復調部１５７をコード数ｍ個有する。
【００３７】
本実施の形態では、通信端末装置５００は、初回のデータ送信に対するＡＣＫ／ＮＡＣＫが送られる拡散コードを予め知ることができない。このため、制御部５０１は、初回のＡＣＫ／ＮＡＣＫについて該当コードグループすべてを逆拡散するように各逆拡散部１５６−１〜１５６−ｍを制御する。各逆拡散部１５６−１〜１５６−ｍは、制御部５０１の指示に基づいて受信無線部１５１の出力信号を逆拡散し、対応する復調部１５７−１〜１５７−ｍに出力する。各復調部１５７−１〜１５７−ｍは、各逆拡散部１５６−１〜１５６−ｍの出力信号を復調し、ＡＣＫ／ＮＡＣＫ判定部１５８に出力する。ＡＣＫ／ＮＡＣＫ判定部１５８は、各復調部１５７−１〜１５７−ｍの出力信号から自局宛のＡＣＫ／ＮＡＣＫを抽出し、抽出した情報がＡＣＫ情報であるかＮＡＣＫ情報であるかを判定し、判定結果を送信データ選択部１０３及び制御部５０１に出力する。
【００３８】
基地局装置が再送データに対してＡＣＫ／ＮＡＣＫを送信するときには拡散コード及びプロセス番号を変更しないので、制御部５０１は、前回ＮＡＣＫ情報が検出されたプロセスについて、前回使用された拡散コードを用いて逆拡散するように、各逆拡散部１５６−１〜１５６−ｍを制御すれば良い。
【００３９】
したがって、通信端末装置５００は、２回目以降、ＡＣＫ／ＮＡＣＫが送られる拡散コードおよび該当プロセスについて、他の（ｍ−１）個のコードについて逆拡散および復調を行う必要がなくなるので、消費電流を削減することができる。
【００４０】
なお、本実施の形態では、送信許可信号とプロセス番号、ＡＣＫ／ＮＡＣＫの拡散コード信号を分離して説明したが、本発明では、送信許可信号を省略した形態でも同様に実施可能であり、同様の効果を得ることができる。この場合、プロセス番号とＡＣＫ／ＮＡＣＫの拡散コード割り当て情報の片方または両方が「無効」あるいは「送信不許可」を示す情報の場合は、送信許可されないと解釈することにより実現することができる。
【産業上の利用可能性】
【００４１】
本発明は、ＨＳＵＰＡ方式でＨ−ＡＲＱを適用する無線通信を行う通信端末装置、基地局装置に用いるに好適である。
【図面の簡単な説明】
【００４２】
【図１】本発明の実施の形態１に係る通信端末装置の構成を示すブロック図
【図２】本発明の実施の形態１に係る基地局装置の構成を示すブロック図
【図３】本発明の実施の形態１に係る基地局装置及び通信端末装置の動作順序を示すシーケンス図
【図４】本発明の実施の形態１に係るＡＣＫ／ＮＡＣＫ情報送信方法を説明するための図
【図５】本発明の実施の形態２に係る通信端末装置の構成を示すブロック図
【符号の説明】
【００４３】
１００、５００  通信端末装置
１０１、１０４  変調部
１０２、１０５  拡散部
１０３  送信データ選択部
１５２、１５６  逆拡散部
１５３、１５７  復調部
１５４  送信許可信号抽出部
１５５、５０１  制御部
１５８  ＡＣＫ／ＮＡＣＫ判定部
２００  基地局装置
２０４、２０７  逆拡散部
２０５、２０８  復調部
２０６  送信要求信号抽出部
２０９  誤り検出部
２５１  制御部
２５２、２５４  変調部
２５３、２５５  拡散部
【図１】
2006319715.tif 000003
【図２】
2006319715.tif 000004
【図３】
2006319715.tif 000005
【図４】
2006319715.tif 000006
【図５】
2006319715.tif 000007